(57)【要約】【課題】表示装置の審美性に優れたカバーパネルとして使用可能な、安価なデコフィルム、デコフィルムを含むカバーパネル、カバーパネルを含む表示装置、及びデコフィルムの製造方法を提供する。【解決手段】本発明の一実施例に係るデコフィルムは、ベースフィルム、前記ベースフィルムの一面に配置された第１デコ部、及び前記第１デコ部と重畳して前記ベースフィルムの他面に配置された第２デコ部を含み、前記第１デコ部は、前記ベースフィルムの少なくとも一部に配置された第１凹凸部を含み、前記第２デコ部は、前記第１凹凸部に対応してベースフィルムの少なくとも一部に配置された第２凹凸部を含み、さらに前記第１凹凸部上に配置された第１蒸着層及び前記第２凹凸部上に配置された第２蒸着層の少なくとも一つをさらに含むことを特徴とする。【選択図】  図４
2018089972.tif 000002
【特許請求の範囲】
【請求項１】
ベースフィルム、
前記ベースフィルムの一面に配置された第１デコ部、及び
前記第１デコ部と重畳して前記ベースフィルムの他面に配置された第２デコ部、を含み、
前記第１デコ部は前記ベースフィルムの少なくとも一部に配置された第１凹凸部を含み、
前記第２デコ部は前記第１凹凸部に対応してベースフィルムの少なくとも一部に配置された第２凹凸部を含み、
前記第１凹凸部上に配置された第１蒸着層及び前記第２凹凸部上に配置された第２蒸着層の少なくとも一つをさらに含む、デコフィルム。
【請求項２】
前記第２デコ部は、前記第２凹凸部上に配置された遮光印刷層をさらに含む、請求項１に記載のデコフィルム。
【請求項３】
前記第１蒸着層は、金属、金属酸化物及び金属窒化物の少なくとも一つを含む、請求項１に記載のデコフィルム。
【請求項４】
前記第２蒸着層は、金属、金属酸化物及び金属窒化物の少なくとも一つを含む、請求項１に記載のデコフィルム。
【請求項５】
前記第１凹凸部及び前記第２凹凸部は高分子樹脂からなる、請求項１に記載のデコフィルム。
【請求項６】
前記第１凹凸部は１．７〜２．８の屈折率を有する、請求項１に記載のデコフィルム。
【請求項７】
前記第１デコ部は、前記第１凹凸部上に配置された光透過性印刷層をさらに含む、請求項１に記載のデコフィルム。
【請求項８】
前記第１デコ部は、前記ベースフィルムと前記第１凹凸部の間に配置された光透過性印刷層をさらに含む、請求項１に記載のデコフィルム。
【請求項９】
前記ベースフィルムと前記第１凹凸部の間に配置された第１高分子樹脂層をさらに含む、請求項１に記載のデコフィルム。
【請求項１０】
前記第１凹凸部は前記第１高分子樹脂層と一体に形成される、請求項９に記載のデコフィルム。
【請求項１１】
前記ベースフィルムと前記第２凹凸部の間に配置された第２高分子樹脂層をさらに含む、請求項１に記載のデコフィルム。
【請求項１２】
前記第２凹凸部は前記第２高分子樹脂層と一体に形成される、請求項１１に記載のデコフィルム。
【請求項１３】
前記第１凹凸部は互いに離隔した複数の第１ライン状の凸部を有し、
前記第２凹凸部は互いに離隔した複数の第２ライン状の凸部を有する、請求項１に記載のデコフィルム。
【請求項１４】
前記第１ライン状の凸部と前記第２ライン状の凸部は互いに平行である、請求項１３に記載のデコフィルム。
【請求項１５】
前記第１ライン状の凸部と前記第２ライン状の凸部は互いに平行でない、請求項１３に記載のデコフィルム。
【請求項１６】
ベースフィルムの一面に第１高分子樹脂層を形成する段階、
前記第１高分子樹脂層の少なくとも一部に第１凹凸部を形成する段階、
前記ベースフィルムの他面に高分子樹脂を塗布して第２高分子樹脂層を形成する段階、
前記第２高分子樹脂層の少なくとも一部に第２凹凸部を形成する段階、及び
前記第１凹凸部上に第１蒸着層を形成する段階及び前記第２凹凸部上に第２蒸着層を形成する段階の少なくとも一つの段階、を含む、デコフィルムの製造方法。
【請求項１７】
前記第１凹凸部上に第１蒸着層を形成する段階は、
前記第１凹凸部を含む前記第１高分子樹脂層の全面に蒸着層を形成する段階、
前記第１凹凸部と重畳する前記蒸着層上にマスクを形成する段階、及び
前記第１凹凸部の上部以外の蒸着層を除去する段階、
を含む、請求項１６に記載のデコフィルムの製造方法。
【請求項１８】
前記第２凹凸部上に第２蒸着層を形成する段階は、
前記第２凹凸部を含む前記第２高分子樹脂層の全面に蒸着層を形成する段階、
前記第２凹凸部と重畳する前記蒸着層上に遮光印刷層を形成する段階、及び
前記遮光印刷層をマスクとして、前記第２凹凸部の上部以外の蒸着層を除去する段階、
を含む、請求項１６に記載のデコフィルムの製造方法。
【請求項１９】
前記ベースフィルムの一面に第１高分子樹脂層を形成する段階に先立ち、
前記ベースフィルムの一面に光透過性印刷層を形成する段階をさらに含む、請求項１６に記載のデコフィルムの製造方法。
【請求項２０】
前記第１蒸着層上に光透過性印刷層を形成する段階をさらに含む、請求項１７に記載のデコフィルムの製造方法。
【請求項２１】
プレート基材、
前記プレート基材上に配置された粘着層、及び
前記粘着層上に配置されたデコフィルム、を含み、
前記デコフィルムは、
ベースフィルム、
前記ベースフィルムの一面に配置された第１デコ部、及び
前記第１デコ部と重畳して前記ベースフィルムの他面に配置された第２デコ部、を含み、
前記第１デコ部は、前記ベースフィルムの少なくとも一部に配置された第１凹凸部を含み、
前記第２デコ部は、前記第１凹凸部に対応して配置された前記ベースフィルムの少なくとも一部上に第２凹凸部を含み、
前記デコフィルムは、前記第１凹凸部上に配置された第１蒸着層及び前記第２凹凸部上に配置された第２蒸着層の少なくとも一つを含む、カバーパネル。
【請求項２２】
前記第１デコ部は前記粘着層と対向して配置される、請求項２１に記載のカバーパネル。
【請求項２３】
前記第１凹凸部は前記粘着層より大きな屈折率を有する、請求項２１に記載のカバーパネル。
【請求項２４】
前記第１凹凸部は前記粘着層より０．３以上大きな屈折率を有する、請求項２３に記載のカバーパネル。
【請求項２５】
前記第２デコ部は、前記第２凹凸部上に配置された遮光印刷層をさらに含む、請求項２１に記載のカバーパネル。
【請求項２６】
前記プレート基材は光透過性を有する、請求項２５に記載のカバーパネル。
【請求項２７】
表示部と非表示部を有する表示パネル、及び
前記表示パネル上に配置されたカバーパネル、を含み、
前記カバーパネルは、
プレート基材、
前記プレート基材上に配置された粘着層、及び
前記粘着層上に配置されたデコフィルム、を含み、
前記デコフィルムは、
ベースフィルム、
前記ベースフィルムの一面の少なくとも一部に配置された第１凹凸部、
前記第１凹凸部に対応して前記ベースフィルム他面の少なくとも一部に配置された第２凹凸部、及び
前記第１凹凸部上に配置された第１蒸着層及び前記第２凹凸部上に配置された第２蒸着層の少なくとも一つ、を含む、表示装置。
【請求項２８】
前記第１凹凸部と前記第２凹凸部は前記表示パネルの前記非表示部と重畳する、請求項２７に記載の表示装置。
【発明の詳細な説明】
【技術分野】
【０００１】
本発明はデコフィルム（ｄｅｃｏｒａｔｉｏｎ＿ｆｉｌｍ、装飾フィルム）、デコフィルムを含むカバーパネル、カバーパネルを含む表示装置、及びデコフィルムの製造方法に関するものである。
【背景技術】
【０００２】
有機発光表示装置又は液晶表示装置のようなフラットパネル表示装置は、複数対の電場生成電極とその間に配置された電気光学（ｅｌｅｃｔｒｏ−ｏｐｔｉｃａｌ）活性層を含む。有機発光表示装置は電気光学活性層として有機発光層を含み、液晶表示装置は電気光学活性層として液晶層を含む。
【０００３】
一般に、表示装置は、映像を生成して表示する表示パネル及び表示パネル上に配置されて表示パネルを保護するカバーパネルを含む。このようなカバーパネルとしては、映像が表示される面に配置されるウィンドウパネルと映像が表示されない面に配置される背面パネルがある。
【０００４】
最近、表示装置の外観の審美性向上のために、多様な色相又はパターンを有するカバーパネルが製造されている。
【発明の概要】
【発明が解決しようとする課題】
【０００５】
本発明の目的は、表示装置の審美性に優れたカバーパネルとして使用可能な、安価なデコフィルム及びその製造方法を提供することにある。
本発明の他の目的は、このようなデコフィルムを含む審美性に優れたカバーパネルを提供することにある。
本発明のさらに他の目的は、このような審美性に優れたカバーパネルを含む表示装置を提供することにある。
【課題を解決するための手段】
【０００６】
本発明の一実施例に係るデコフィルムは、ベースフィルム、前記ベースフィルムの一面に配置された第１デコ部、及び前記第１デコ部と重畳して前記ベースフィルムの他面に配置された第２デコ部、を含み、前記第１デコ部は前記ベースフィルムの少なくとも一部に配置された第１凹凸部を含み、前記第２デコ部は前記第１凹凸部に対応してベースフィルムの少なくとも一部に配置された第２凹凸部を含み、前記第１凹凸部上に配置された第１蒸着層及び前記第２凹凸部上に配置された第２蒸着層の少なくとも一つをさらに含むことを特徴とする。
【０００７】
前記第２デコ部は、前記第２凹凸部上に配置された遮光印刷層をさらに含むことができる。
前記第１蒸着層は、金属、金属酸化物及び金属窒化物の少なくとも一つを含むことができる。
前記第２蒸着層は、金属、金属酸化物及び金属窒化物の少なくとも一つを含むことができる。
前記第１凹凸部及び前記第２凹凸部は高分子樹脂からなってもよい。
前記第１凹凸部は１．７〜２．８の屈折率を有してもよい。
前記第１デコ部は、前記第１凹凸部上に配置された光透過性印刷層をさらに含むことができる。
前記第１デコ部は、前記ベースフィルムと前記第１凹凸部の間に配置された光透過性印刷層をさらに含むことができる。
前記デコフィルムは、前記ベースフィルムと前記第１凹凸部の間に配置された第１高分子樹脂層をさらに含むことができる。
前記第１凹凸部は前記第１高分子樹脂層と一体に形成されることができる。
前記デコフィルムは、前記ベースフィルムと前記第２凹凸部の間に配置された第２高分子樹脂層をさらに含むことができる。
前記第２凹凸部は前記第２高分子樹脂層と一体に形成されることができる。
前記第１凹凸部は互いに離隔した複数の第１ライン状の凸部を有し、前記第２凹凸部は互いに離隔した複数の第２ライン状の凸部を有することができる。
前記第１ライン状の凸部と前記第２ライン状の凸部は互いに平行であってもよい。
前記第１ライン状の凸部と前記第２ライン状の凸部は互いに平行でなくてもよい。
【０００８】
本発明の他の一実施例は、ベースフィルムの一面に第１高分子樹脂層を形成する段階、前記第１高分子樹脂層の少なくとも一部に第１凹凸部を形成する段階、前記ベースフィルムの他面に高分子樹脂を塗布して第２高分子樹脂層を形成する段階、前記第２高分子樹脂層の少なくとも一部に第２凹凸部を形成する段階、及び前記第１凹凸部上に第１蒸着層を形成する段階及び前記第２凹凸部上に第２蒸着層を形成する段階の少なくとも一つの段階、を含むデコフィルムの製造方法を提供する。
【０００９】
前記第１凹凸部上に第１蒸着層を形成する段階は、前記第１凹凸部を含む前記第１高分子樹脂層の全面に蒸着層を形成する段階、前記第１凹凸部と重畳する前記蒸着層上にマスクを形成する段階、及び前記第１凹凸部の上部以外の蒸着層を除去する段階、を含むことができる。
前記第２凹凸部上に第２蒸着層を形成する段階は、前記第２凹凸部を含む前記第２高分子樹脂層の全面に蒸着層を形成する段階、前記第２凹凸部と重畳する前記蒸着層上に遮光印刷層を形成する段階、及び前記遮光印刷層をマスクとして、前記第２凹凸部の上部以外の蒸着層を除去する段階、を含むことができる。
前記製造方法は、前記ベースフィルムの一面に第１高分子樹脂層を形成する段階に先立ち、前記ベースフィルムの一面に光透過性印刷層を形成する段階をさらに含むことができる。
前記製造方法は、前記第１蒸着層上に光透過性印刷層を形成する段階をさらに含むことができる。
【００１０】
本発明のさらに他の一実施例は、プレート基材、前記プレート基材上に配置された粘着層、及び前記粘着層上に配置されたデコフィルム、を含み、前記デコフィルムは、ベースフィルム、前記ベースフィルムの一面に配置された第１デコ部、及び前記第１デコ部と重畳して前記ベースフィルムの他面に配置された第２デコ部、を含み、前記第１デコ部は、前記ベースフィルムの少なくとも一部に配置された第１凹凸部を含み、前記第２デコ部は、前記第１凹凸部に対応して配置された前記ベースフィルムの少なくとも一部上に第２凹凸部を含み、前記デコフィルムは、前記第１凹凸部上に配置された第１蒸着層及び前記第２凹凸部上に配置された第２蒸着層の少なくとも一つを含むカバーパネルを提供する。
【００１１】
前記第１デコ部は前記粘着層と対向して配置されることができる。
前記第１凹凸部は前記粘着層より大きな屈折率を有することができる。
前記第１凹凸部は前記粘着層より０．３以上大きな屈折率を有することができる。
前記第２デコ部は、前記第２凹凸部上に配置された遮光印刷層をさらに含むことができる。
前記プレート基材は光透過性を有することができる。
【００１２】
本発明のさらに他の一実施例は、表示部と非表示部を有する表示パネル、及び前記表示パネル上に配置されたカバーパネル、を含み、前記カバーパネルは、プレート基材、前記平板プレート上に配置された粘着層、及び前記粘着層上に配置されたデコフィルム、を含み、前記デコフィルムは、ベースフィルム、前記前記ベースフィルムの一面の少なくとも一部に配置された第１凹凸部、前記第１凹凸部に対応して前記ベースフィルム他面の少なくとも一部に配置された第２凹凸部、及び前記第１凹凸部上に配置された第１蒸着層及び前記第２凹凸部上に配置された第２蒸着層の少なくとも一つ、を含む表示装置を提供する。
【００１３】
前記第１凹凸部と前記第２凹凸部は前記表示パネルの前記非表示部と重畳することができる。
【発明の効果】
【００１４】
本発明の一実施例によるデコフィルムは第１デコ部と第２デコ部を含むので、デコフィルムで反射された光が二重に干渉する。よって、使用者の視野角によって多様な形状又はパターンを観察することができ、ホログラム効果を奏することができる。このようなデコフィルムを含むカバーフィルムを有する表示装置は、半導体／液晶量産技術のみを利用して安価に製造できるにも拘らず、高価な装飾部材を使用した場合に勝るとも劣らない、美麗な外観を呈する。
【図面の簡単な説明】
【００１５】
【図１】本発明の一実施例による表示装置の斜視図である。
【図２】図１の線Ｉ−Ｉ’に沿って切断した断面図である。
【図３】本発明の一実施例によるウィンドウパネルの平面図である。
【図４】図３のウィンドウパネルを線ＩＩ−ＩＩ’に沿って切断した断面図である。
【図５】本発明の一実施例による背面パネルを、図３の線ＩＩ−ＩＩ’に対応する線に沿って切断した断面図である。
【図６】本発明の第１凹凸部と第２凹凸部の一実施例の斜視図である。
【図７】本発明の第１凹凸部と第２凹凸部の他の実施例の斜視図である。
【図８】（Ａ）及び（Ｂ）は各々、本発明の他の一実施例による、ウィンドウパネル及び背面パネルのデコフィルムの断面図である。
【図９】（Ａ）及び（Ｂ）は各々、本発明のさらに他の一実施例による、ウィンドウパネル及び背面パネルのデコフィルムの断面図である。
【図１０】（Ａ）及び（Ｂ）は各々、本発明のさらに他の一実施例による、ウィンドウパネル及び背面パネルのデコフィルムの断面図である。
【図１１】（Ａ）及び（Ｂ）は各々、本発明のさらに他の一実施例による、ウィンドウパネル及び背面パネルのデコフィルムの断面図である。
【図１２】（Ａ）及び（Ｂ）は各々、本発明のさらに他の一実施例による、ウィンドウパネル及び背面パネルのデコフィルムの断面図である。
【図１３】（Ａ）及び（Ｂ）は各々、本発明のさらに他の一実施例による、ウィンドウパネル及び背面パネルのデコフィルムの断面図である。
【図１４】（Ａ）及び（Ｂ）は各々、本発明のさらに他の一実施例による、ウィンドウパネル及び背面パネルのデコフィルムの断面図である。
【図１５】本発明の一実施例によるデコフィルムの製造工程の第１工程図である。
【図１６】本発明の一実施例によるデコフィルムの製造工程の第２工程図である。
【図１７】本発明の一実施例によるデコフィルムの製造工程の第３工程図である。
【図１８】本発明の一実施例によるデコフィルムの製造工程の第４工程図である。
【図１９】本発明の一実施例によるデコフィルムの製造工程の第５工程図である。
【図２０】本発明の一実施例によるデコフィルムの製造工程の第６工程図である。
【図２１】本発明の一実施例によるデコフィルムの製造工程の第７工程図である。
【図２２】本発明の一実施例によるデコフィルムの製造工程の第８工程図である。
【図２３】本発明の一実施例によるデコフィルムの製造工程の第９工程図である。
【図２４】本発明の一実施例によるデコフィルムの製造工程の第１０工程図である。
【図２５】本発明の一実施例によるデコフィルムの製造工程の第１１工程図である。
【図２６】本発明の一実施例によるデコフィルムの製造工程の第１２工程図である。
【図２７】本発明の一実施例によるデコフィルムの製造工程の第１３工程図である。
【図２８】本発明のさらに他の一実施例によるデコフィルムの製造工程の第１工程図である。
【図２９】本発明の他の実施例によるデコフィルムの製造工程の第２工程図である。
【図３０】本発明の他の実施例によるデコフィルムの製造工程の第３工程図である。
【図３１】本発明の他の実施例によるデコフィルムの製造工程の第４工程図である。
【図３２】本発明の他の実施例によるデコフィルムの製造工程の第５工程図である。
【図３３】本発明の他の実施例によるデコフィルムの製造工程の第６工程図である。
【図３４】本発明の他の実施例によるデコフィルムの製造工程の第７工程図である。
【図３５】本発明の他の実施例によるデコフィルムの製造工程の第８工程図である。
【図３６】本発明の一実施例による表示パネルの画素配置を示す平面図である。
【図３７】図３６の線ＩＩＩ−ＩＩＩ’に沿って切断した断面図である。
【図３８】本発明の他の一実施例による表示パネルの断面図である。
【図３９】本発明のさらに他の一実施例による表示パネルの画素配置を示す平面図である。
【図４０】図３９の線ＩＶ−ＩＶ’に沿って切断した断面図である。
【発明を実施するための形態】
【００１６】
以下、添付図面に基づいて本発明を詳細に説明する。
本発明は多様な変更が可能であり、さまざまな形態に実施可能であるが、特定の実施例のみを図面に例示し、これに基づいて本発明を説明する。しかし、本発明の範囲がこのような特定の実施例に限定されるものではない。本発明の思想及び技術範囲に含まれる全ての変更、均等物又は代替物は本発明の範囲に含まれるものと理解されなければならない。
【００１７】
図面において、各構成要素及びその形状などは簡略に図示されるか、及び／又は誇張して図示されることもあり、実際製品の構成要素が表現されずに省略されることもある。従って、図面は発明の理解に役立てるためのものと解釈されなければならない。また、同じ機能をする構成要素は同じ符号で表示する。
【００１８】
ある層又は構成要素が他の層又は構成要素の‘上’にあると記載されている場合、これはある層又は構成要素が他の層又は構成要素と直接接触して配置された場合だけではなく、その間に第３の層が介在された場合まで含む意味である。
【００１９】
ある部分が他の部分と連結されていると言うとき、これは直接的に連結されている場合だけではなく、その中間に他の構成要素を介して電気的に連結されている場合も含む。また、ある部分がある構成要素を含むというとき、これは、特に反対の記載がない限り、他の構成要素を排除するものではなくて他の構成要素をさらに含むことができることを意味する。
【００２０】
本明細書において、第１、第２、第３などの用語は多様な構成要素を説明するのに使われるが、構成要素がこのような用語に限定されるものではない。前記用語は一構成要素を他の構成要素から区別する目的で使われる。例えば、本発明の権利範囲から逸脱しない範疇内で、第１構成要素を第２又は第３構成要素などと名付けることができ、同様に第２又は第３構成要素も取り替えて名付けることができる。例えば、“Ａ”という構成要素は“第１Ａ”、“第２Ａ”又は“第３Ａ”と表現することができる。
【００２１】
空間的に相対的な用語である“下方（ｂｅｌｏｗ）”、“下方（ｂｅｎｅａｔｈ）”、“下部（ｌｏｗｅｒ）”、“上方（ａｂｏｖｅ）”、“上部（ｕｐｐｅｒ）”などは、図面に示しているように、一つの素子又は構成要素などと他の素子又は構成要素などとの相関関係を容易に記述するために使用され得る。空間的に相対的な用語は、図面に示されている方向に加え、使用時又は動作時の素子の互いに異なる方向を含む用語と理解されなければならない。例えば、図面に示されている素子を覆す場合は、他の素子の“下方（ｂｅｌｏｗ）”又は“下方（ｂｅｎｅａｔｈ）”に配置されていると記述された素子は、他の素子の“上方（ａｂｏｖｅ）”に置かれることができる。従って、例示的な用語である“下”は、下と上の方向の何れも含むことができる。素子は、他の方向にも配向されることができ、よって空間的に相対的な用語は配向によって解釈され得る。
【００２２】
他の定義がない限り、本明細書で使われる全ての用語（技術的及び科学的用語を含む）は本発明が属する技術分野で通常の知識を有する者に共通して理解可能な意味として使用可能であろう。また、一般的に使われる前もって定義されている用語は特に定義しない限り、過度に解釈されてはいけない。
【００２３】
本発明を明確に説明するために、説明と関係ない部分は省略し、明細書全般にわたって同一又は類似の構成要素に対しては同じ参照符号を付ける。
【００２４】
図１は本発明の一実施例による表示装置１０１の斜視図、図２は図１のＩ−Ｉ’に沿って切断した断面図である。
【００２５】
図１及び図２に示した表示装置１０１は、カバーパネル２０１、３０１、側面支持部材１２０及び表示パネル１１０を含む。
【００２６】
カバーパネル２０１、３０１は、映像が表示される面に配置されるウィンドウパネル２０１、及び映像が表示される面の反対側に配置された背面パネル３０１を含む。側面支持部材１２０は２枚のカバーパネル２０１、３０１を連結する。
【００２７】
表示パネル１１０は支持部１４０と一緒に背面パネル３０１に装着される。支持部１４０は、例えばクッション部材であってもよいが、これに限定されるものではない。支持部１４０に表示パネル１１０の駆動のための部材、例えばバッテリなどが配置され得る。
【００２８】
表示パネル１１０は、表示部ＤＡと非表示部ＮＤＡを有する。表示部ＤＡは画像が表示される部分である。非表示部ＮＤＡは、例えば表示部ＤＡを取り囲む形態を有する。表示パネル１１０としては、例えば液晶表示パネル、有機発光表示パネルがある。表示パネル１１０の詳細な構造は後述する。
【００２９】
図２を参照すると、表示パネル１１０とウィンドウパネル２０１の間にタッチパネル１７０と粘着層１６０が配置される。
【００３０】
図３は本発明の一実施例によるウィンドウパネル２０１の平面図、図４は図３の線ＩＩ−ＩＩ’に沿って切断した断面図、図５は本発明の一実施例による背面パネル３０１の、図３の線ＩＩ−ＩＩ’に対応する線に沿って切断した断面図である。
【００３１】
図４を参照すると、カバーパネル２０１、３０１の内の一つであるウィンドウパネル２０１は、プレート基材１５０、プレート基材１５０上に配置された粘着層１８１、及び粘着層１８１上に配置されたデコフィルム５０１を含む。
【００３２】
図４に示したプレート基材１５０は光透過性を有し、ガラス、プラスチックなどの光透過性部材からなる。図２を参照すると、プレート基材１５０は、第１面１５０ａと第２面１５０ｂを有する。プレート基材１５０の第１面１５０ａは使用者と対向し、第２面１５０ｂは表示パネル１１０と対向する。
【００３３】
また、ウィンドウパネル２０１はベゼル部５５１を含む。ベゼル部５５１は、表示パネル１１０の非表示部ＮＤＡと重畳するようにプレート基材１５０上に配置される。ベゼル部５５１は不透明層であって、光を遮断する。よって、ベゼル部５５１の下方は使用者に視認されない。表示パネル１１０の表示部ＤＡと重畳する部分において、ウィンドウパネル２０１は光透過性を有する。
【００３４】
デコフィルム５０１は、ベースフィルム５１０、ベースフィルム５１０の一面に配置された第１デコ部５２０ａ、及び第１デコ部５２０ａと重畳するようにベースフィルム５１０の他面に配置された第２デコ部５３０ａを含む。
【００３５】
図４を参照すると、ベースフィルム５１０は透光領域５１１と遮光領域５２０を有し、ベースフィルム５１０の透光領域５１１は表示パネル１１０の表示部ＤＡと重畳し、遮光領域５２０は表示パネル１１０の非表示部ＮＤＡと重畳する。第１デコ部５２０ａと第２デコ部５３０ａは遮光領域５２０に配置される。
【００３６】
第１デコ部５２０ａは、ベースフィルム５１０の少なくとも一部に配置された第１凹凸部５２２を含む。第２デコ部５３０ａは、第１凹凸部５２２に対応して、ベースフィルム５１０の少なくとも一部に第２凹凸部５３２を含む。
【００３７】
本発明の一実施例によれば、デコフィルム５０１は、第１凹凸部５２２上に配置された第１蒸着層５２３及び第２凹凸部５３２上に配置された第２蒸着層５３３の少なくとも一つをさらに含む。
【００３８】
図４を参照すると、第１デコ部５２０ａは第１凹凸部５２２上に配置された第１蒸着層５２３を含み、第２デコ部５３０ａは第２凹凸部５３２上に配置された第２蒸着層５３３を含む。
【００３９】
また、デコフィルム５０１はベースフィルム５１０と第１凹凸部５２２の間に配置された第１高分子樹脂層５２１を含み、ベースフィルム５１０と第２凹凸部５３２の間に配置された第２高分子樹脂層５３１を含む。
【００４０】
第１凹凸部５２２と第２凹凸部５３２は高分子樹脂からなる。高分子樹脂をパターニングすることによって第１凹凸部５２２と第２凹凸部５３２が形成される。パターニング方法に特に制限はなく、公知の多様なパターニング法が適用可能である。例えば、インプリンティング法によって第１凹凸部５２２と第２凹凸部５３２が形成される。
【００４１】
第１凹凸部５２２は第１高分子樹脂層５２１と一体に形成される。また、第２凹凸部５３２は第２高分子樹脂層５３１と一体に形成される。
第１高分子樹脂層５２１及び第２高分子樹脂層５３１は各々、ベースフィルム５１０上を透光領域５１１に亘って延伸される。
なお、第２高分子樹脂層５３１の透光領域５１１に亘って延伸された部分に第２凹凸部５３２が延伸されているが、この凹凸は、後の図２７に示すように、透明性を高めるためには、無い方が好ましい。
【００４２】
第１凹凸部５２２と第２凹凸部５３２は同じ材料からなるか、相異なる材料からなる。第１凹凸部５２２は例えば、１．７〜２．８の屈折率を有する。第２凹凸部５３２も例えば、１．７〜２．８の屈折率を有する。
【００４３】
第２蒸着層５３３は金属を含み得る。第２蒸着層５３３の形成のための金属として、銀（Ａｇ）、金（Ａｕ）、白金（Ｐｔ）、アルミニウム（Ａｌ）、チタン（Ｔｉ）、マンガン（Ｍｎ）、コバルト（Ｃｏ）、亜鉛（Ｚｎ）などが使用可能である。
【００４４】
第２蒸着層５３３は、例えば、金属層、金属酸化物層及び金属窒化物層の少なくとも一つを含む。
【００４５】
第２蒸着層５３３は光を反射する。第２蒸着層５３３が第２凹凸部５３２上に形成されているから、第２蒸着層５３３で光が多様な方向に反射される。
【００４６】
本発明の一実施例によれば、第１凹凸部５２２上に第１蒸着層５２３が配置される。第１蒸着層５２３は光透過性及び光反射性の両者を有する。第１蒸着層５２３も、第２蒸着層５３３と同様に、金属を含み得る。
【００４７】
第１凹凸部５２２上に形成された第１蒸着層５２３と第２凹凸部５３２上に形成された第２蒸着層５３３によって光が二重に反射されて干渉するから、使用者の視野角によって多様な模様又はパターンを観察でき、ホログラム効果を奏する。従って、表示装置１０１が美麗な外観を呈する。
【００４８】
第１蒸着層５２３と第２蒸着層５３３は互いに同じ色を呈するか、相異なる色を呈する。第１蒸着層５２３と第２蒸着層５３３の何れでも光が反射されるから、深い色感を表現でき、立体感を現わす。また、第１蒸着層５２３と第２蒸着層５３３によって混色効果を奏し得る。
【００４９】
遮光のために、第２デコ部５３０ａは、第２蒸着層５３３上に配置された遮光印刷層５３４を含む。第２蒸着層５３３の光遮断機能が優れている場合、遮光印刷層５３４は省略できる。
【００５０】
第１デコ部５２０ａと第２デコ部５３０ａによってベゼル部５５１が形成される。ベゼル部５５１は光を遮断し、ウィンドウパネル２０１に色感及び審美性を提供する。
【００５１】
図５は本発明の一実施例による背面パネル３０１を、図３の線ＩＩ−ＩＩ’に対応する線に沿って切断した断面図である。
【００５２】
カバーパネル２０１、３０１の一つである背面パネル３０１は、プレート基材１３０、プレート基材１３０上に配置された粘着層１８２、及び粘着層１８２上に配置されたデコフィルム６０１を含む。
【００５３】
デコフィルム６０１は、ベースフィルム６１０、ベースフィルム６１０の一面に配置された第１デコ部６２０ａ、及び第１デコ部６２０ａと重畳するようにベースフィルム６１０の他面に配置された第２デコ部６３０ａを含む。
【００５４】
ベースフィルム６１０は光透過性を有してもよく、有しなくてもよい。
【００５５】
第１デコ部６２０ａは、ベースフィルム６１０の一面に配置された第１凹凸部６２２を含む。また、第１凹凸部６２２上に第１蒸着層６２３が配置される。本発明の一実施例によれば、第１デコ部６２０ａは使用者と対向して配置される。
【００５６】
第２デコ部６３０ａは、ベースフィルム６１０の他面に配置された第２凹凸部６３２、及び第２凹凸部６３２上に配置された第２蒸着層６３３を含む。
【００５７】
図５を参照すると、第１デコ部６２０ａはベースフィルム６１０の一面の全面に配置され、第２デコ部６３０ａはベースフィルム６１０の他面の全面に配置される。
【００５８】
また、デコフィルム６０１は、ベースフィルム６１０と第１凹凸部６２２の間に配置された第１高分子樹脂層６２１を含み、ベースフィルム６１０と第２凹凸部６３２の間に配置された第２高分子樹脂層６３１を含む。
【００５９】
第１凹凸部６２２は第１高分子樹脂層６２１と一体に形成され得る。また、第２凹凸部６３２は第２高分子樹脂層６３１と一体に形成され得る。
【００６０】
遮光のために、第２デコ部６３０ａの第２蒸着層６３３上に遮光印刷層６３４が配置される。
【００６１】
第１凹凸部６２２上に形成された第１蒸着層６２３と第２凹凸部６３２上に形成された第２蒸着層６３３によって光が反射されて二重に干渉するから、視野角によって多様な模様又はパターンを観察でき、ホログラム効果を奏する。よって、表示装置１０１の背面パネル３０１が優れた審美性を有する。
【００６２】
図６は第１凹凸部５２２及び第２凹凸部５３２の一実施例による斜視図、図７は第１凹凸部５２２及び第２凹凸部５３２の他の実施例による斜視図である。
【００６３】
第１凹凸部５２２は互いに離隔した複数の第１ライン状の凸部５２２ａを有する。同様に、第２凹凸部５３２もやはり互いに離隔した複数の第１ライン状の凸部５３２ａを有する。
【００６４】
図６に示すように、第１凹凸部５２２を構成する第１ライン状の凸部５２２ａと第２凹凸部５３２を構成する第２ライン状の凸部５３２ａは、互いに平行である。代案として、図７に示すように、第１凹凸部５２２を構成する第１ライン状の凸部５２２ａと第２凹凸部５３２を構成する第２ライン状の凸部５３２ａは、互いに直交する。
【００６５】
しかし、本発明の実施例がこれに限定されるものではなく、第１凹凸部５２２と第２凹凸部５３２は各々、柱状、角柱状、ピラミッド状、半球状などの多様な形状を有し得る。
【００６６】
図８（Ａ）及び図８（Ｂ）は各々、本発明の他の一実施例によるウィンドウパネルのデコフィルム５０２、及び背面パネルのデコフィルム６０２の断面図である。以下、重複説明を避けるために、既に説明した構成要素についての説明は省略する。
【００６７】
図８（Ａ）及び図８（Ｂ）に示したデコフィルム５０２、６０２は、図４及び図５に示したデコフィルム５０１、６０１と比較すると、第１蒸着層５２３、６２３を含んでいない。
【００６８】
図８（Ａ）を参照すると、本発明の他の一実施例によるデコフィルム５０２の第１デコ部５２０ｂは第１凹凸部５２２を含み、第２デコ部５３０ｂは第２凹凸部５３２及び第２凹凸部５３２上に配置された第２蒸着層５３３を含む。
【００６９】
図８（Ａ）のデコフィルム５０２はプレート基材１５０に付着されてウィンドウパネル２０１の構成要素として使われることができる。この際、第１デコ部５２０ｂは粘着層１８１と対向して配置される。即ち、第１デコ部５２０ｂが粘着層１８１と接触する。
【００７０】
第１デコ部５２０ｂを構成する第１凹凸部５２２は粘着層１８１より大きな屈折率を有する。具体的に、第１凹凸部５２２は粘着層１８１より０．３以上大きな屈折率を有する。より具体的に、粘着層１８１は１．４〜１．６の屈折率を有し、第１凹凸部５２２は１．７〜２．８の屈折率を有する。例えば、第１凹凸部５２２は粘着層より０．３〜１．４だけ大きな屈折率を有する。
【００７１】
第１凹凸部５２２と粘着層１８１の屈折率差が大きい場合、第１凹凸部５２２と粘着層１８１の界面で光の反射及び屈折が円滑になされる。
【００７２】
よって、第１凹凸部５２２と第２蒸着層５３３で反射された光が二重に干渉し、また第１凹凸部５２２で屈折した光が第２蒸着層５３３で再反射される。その結果、視野角によって多様な模様又はパターンを観察でき、ホログラム効果を奏する。
【００７３】
また、第２蒸着層５３３が色相を有する場合、特定色の光が使用者に視認される。
【００７４】
図８（Ｂ）を参照すると、本発明の別の一実施例によるデコフィルム６０２は、第１凹凸部６２２を含む第１デコ部６２０ｂと、第２凹凸部６３２を含む第２デコ部６３０ｂとを含み、第２凹凸部６３２上に配置された第２蒸着層６３３を含む。
【００７５】
図８（Ｂ）のデコフィルム６０２は背面パネル３０１のプレート基材１３０に付着されて使われる。この際、第１デコ部６２０ｂが粘着層１８２と接触する。
【００７６】
図９（Ａ）及び図９（Ｂ）は各々、本発明のさらに他の一実施例によるウィンドウパネルのデコフィルム５０３、及び背面パネルのデコフィルム６０３の断面図である。
【００７７】
図９（Ａ）を参照すると、本発明のさらに他の一実施例によるデコフィルム５０３は第１デコ部５２０ｃ及び第２デコ部５３０ｃを含み、デコフィルム５０３の第１デコ部５２０ｃは第１蒸着層５２３上に配置された光透過性印刷層５２４を含む。光透過性印刷層５２４は光透過性を有し、多様な色相を有する。光透過性印刷層５２４はまた、多様なパターンを有し得る。光透過性印刷層５２４によってデコフィルム５０３の審美性が向上する。
【００７８】
図９（Ｂ）を参照すると、本発明のさらに他の一実施例によるデコフィルム６０３は第１デコ部６２０ｃ及び第２デコ部６３０ｃを含み、デコフィルム６０３の第１デコ部６２０ｃは第１蒸着層６２３上に配置された光透過性印刷層６２４を含む。光透過性印刷層６２４は光透過性を有し、多様な色相を有する。また、光透過性印刷層６２４は多様なパターンを有し得る。光透過性印刷層６２４によってデコフィルム６０３の審美性が向上する。
【００７９】
図１０（Ａ）及び図１０（Ｂ）は各々、本発明のさらに他の一実施例によるウィンドウパネルのデコフィルム５０４、及び背面パネルのデコフィルム６０４の断面図である。
【００８０】
図１０（Ａ）を参照すると、本発明のさらに他の一実施例によるデコフィルム５０４は第１デコ部５２０ｄ及び第２デコ部５３０ｄを含み、デコフィルム５０４の第１デコ部５２０ｄは第１蒸着層５２３を含まず、第１凹凸部５２２上に配置された光透過性印刷層５２４を含む。光透過性印刷層５２４は第１凹凸部５２２とは相異なる屈折率を有する。光透過性印刷層５２４は第１凹凸部５２２より大きい屈折率を有するか、又は、小さい屈折率を有する。例えば、光透過性印刷層５２４と第１凹凸部５２２は０．３以上の屈折率差を有する。よって、光透過性印刷層５２４と第１凹凸部５２２の界面で光が反射及び屈折してデコフィルム５０４の審美性が向上する。
【００８１】
図１０（Ｂ）を参照すると、本発明のさらに他の一実施例によるデコフィルム６０４は第１デコ部６２０ｄ及び第２デコ部６３０ｄを含み、デコフィルム６０４の第１デコ部６２０ｄは第１蒸着層６２３を含まず、第１凹凸部６２２上に配置された光透過性印刷層６２４を含む。光透過性印刷層６２４は第１凹凸部６２２とは相異なる屈折率を有し、上記のデコフィルム５０４と同様にデコフィルム６０４の審美性を向上する。
【００８２】
図１１（Ａ）及び図１１（Ｂ）は各々、本発明のさらに他の一実施例によるウィンドウパネルのデコフィルム５０５、及び背面パネルのデコフィルム６０５の断面図である。
【００８３】
図１１（Ａ）を参照すると、本発明のさらに他の一実施例によるデコフィルム５０５は第１デコ部５２０ｅ及び第２デコ部５３０ｅを含み、デコフィルム５０５の第１デコ部５２０ｅはベースフィルム５１０と第１凹凸部５２２の間に配置された光透過性印刷層５２５を含む。光透過性印刷層５２５は第１高分子樹脂層５２１の下方に配置される。
【００８４】
光透過性印刷層５２５は光透過性を有し、多様な色相を有する。また、光透過性印刷層５２５は多様なパターンを有し得る。光透過性印刷層５２５によってデコフィルム５０５の審美性が向上する。
【００８５】
図１１（Ｂ）を参照すると、本発明のさらに他の一実施例によるデコフィルム６０５は、第１デコ部６２０ｅ及び第１デコ部６３０ｅを含み、デコフィルム６０５の第１デコ部６２０ｅはベースフィルム６１０と第１凹凸部６２２の間に配置された光透過性印刷層６２５を含む。光透過性印刷層６２５は第１高分子樹脂層６２１の下方に配置される。光透過性印刷層６２５は多様な色相、及び／又は多様なパターンを有し得る。
【００８６】
図１２（Ａ）及び図１２（Ｂ）は各々、本発明のさらに他の一実施例によるウィンドウパネルのデコフィルム５０６、及び背面パネルのデコフィルム６０６の断面図である。
【００８７】
デコフィルム５０６は第１デコ部５２０ｆ及び第２デコ部５３０ｆを含み、デコフィルム６０６は第１デコ部６２０ｆ及び第２デコ部６３０ｆを含む。デコフィルム５０６、６０６は、図１１（Ａ）及び図１１（Ｂ）に示したデコフィルム５０５、６０５と比較して、第１蒸着層５２３、６２３を含んでいない。
【００８８】
図１３（Ａ）及び図１３（Ｂ）は各々、本発明のさらに他の一実施例によるウィンドウパネルのデコフィルム５０７、及び背面パネルのデコフィルム６０７の断面図である。
【００８９】
デコフィルム５０７は第１デコ部５２０ｇ及び第２デコ部５３０ｇを含み、デコフィルム６０７は第１デコ部６２０ｇ及び第２デコ部６３０ｇを含む。図１３（Ａ）及び図１３（Ｂ）に示したデコフィルム５０７、６０７は、図１１（Ａ）及び図１１（Ｂ）に示したデコフィルム５０５、６０５と比較し、遮光印刷層５３４、６３４を含んでいない。この場合、第２蒸着層５３３、６３３によってのみ光が遮断される。遮光のためには、第２蒸着層５３３、６３３は２００ｎｍ以上の厚さを有しなければならない。
【００９０】
図１４（Ａ）及び図１４（Ｂ）は各々、本発明のさらに他の一実施例によるウィンドウパネルのデコフィルム５０８、及び背面パネルのデコフィルム６０８の断面図である。
【００９１】
デコフィルム５０８は第１デコ部５２０ｈ及び第２デコ部５３０ｈを含み、デコフィルム６０８は第１デコ部６２０ｈ及び第２デコ部６３０ｈを含む。
図１４（Ａ）及び図１４（Ｂ）に示したデコフィルム５０８、６０８は、図４及び図５に示したデコフィルム５０５、６０５と比較し、第２蒸着層５３３、６３３を含んでいない。この場合、遮光印刷層５３４、６３４によって光が遮光される。また、第２凹凸部５３２、６３２で光が反射される。よって、第２凹凸部５３２、６３２で反射された光と第１蒸着層５２３、６２３で反射された光の干渉が発生できる。
【００９２】
以下、本発明の一実施例によるデコフィルムの製造方法を説明する。
【００９３】
一実施例によるデコフィルムの製造方法は、ベースフィルム５１０の一面に第１凹凸部５２２を形成する段階、ベースフィルム５１０の他面に第２凹凸部５３２を形成する段階、第１凹凸部５２２に第１蒸着層５２３を形成する段階、及び第２凹凸部５３２上に第２蒸着層５３３を形成する段階の少なくとも一つを含む。
【００９４】
図１５〜図２７は本発明の一実施例によるデコフィルムの製造工程図である。
【００９５】
本発明の一実施例によれば、ベースフィルム５１０上に第１デコ部５２０ａを先に形成した後、第２デコ部５３０ａを形成できるが、逆に、第２デコ部５３０ａを先に形成した後、第１デコ部５２０ａを形成することもできる。
【００９６】
図１５〜２７はベースフィルム５１０上に第２デコ部５３０ａを先に形成した後、第１デコ部５２０ａを形成する場合を例示している。しかし、本発明の一実施例はこれに限定されない。
【００９７】
図１５を参照すると、ベースフィルム５１０の他面に高分子樹脂を塗布して第２高分子樹脂層５３１を形成する。第２高分子樹脂層５３１は熱硬化性樹脂又は光硬化性樹脂からなる。
【００９８】
図１６を参照すると、インプリンタ７１０で第２高分子樹脂層５３１を加圧する。インプリンタ７１０は凹凸パターン７１１を有する。よって、第２高分子樹脂層５３１に凹凸パターン７１１に対応するパターンを有する第２凹凸部５３２が形成される。
【００９９】
図１７には、インプリンタ７１０による加圧によって形成された第２凹凸部５３２が示されている。ついで、第２高分子樹脂層５３１（第２凹凸部５３２を含む）が硬化（ｂｅ＿ｃｕｒｅｄ）する。この時、熱硬化又は光硬化の何れかがなされる。
【０１００】
図１８を参照すると、第２凹凸部５３２を含む第２高分子樹脂層５３１の全面に蒸着層５３３、５３３ｂを形成する。
【０１０１】
図１９を参照すると、第２凹凸部５３２と重畳する蒸着層上に遮光印刷層５３４を形成する。
【０１０２】
図２０を参照すると、遮光印刷層５３４をマスクとして、第２凹凸部５３２の上方以外の蒸着層５３３ｂを除去して第２蒸着層５３３を形成する。
【０１０３】
図２１を参照すると、ベースフィルム５１０の一面に第１高分子樹脂層５２１を形成する。第１高分子樹脂層５２１は熱硬化性樹脂又は光硬化性樹脂からなる。
【０１０４】
図２２を参照すると、インプリンタ７２０で第１高分子樹脂層５２１を加圧する。インプリンタ７２０は凹凸パターン７２１を有する。よって、第１高分子樹脂層５２１に凹凸パターン７２１に対応するパターンを有する第１凹凸部５２２が形成される。
【０１０５】
図２３には、インプリンタ７２０の加圧によって形成された第１凹凸部５２２が示されている。ついで、第１高分子樹脂層５２１（第２凹凸部５２２を含む）が硬化する。この時、熱硬化又は光硬化の何れかがなされる。
【０１０６】
図２４を参照すると、第１凹凸部５２２を含む第１高分子樹脂層５２１の全面に蒸着層５２３、５２３ｂを形成する。
【０１０７】
図２５を参照すると、第１凹凸部５２２と重畳する蒸着層上にマスク５２９を形成する。
【０１０８】
図２６を参照すると、マスク５２９を用いて第１凹凸部５２２の上方以外の蒸着層５２３ｂを除去して第１蒸着層５２３を形成する。
【０１０９】
図２７を参照すると、マスク５２９を除去することにより、本発明の一実施例によるデコフィルムを製造する。製造したデコフィルムは、第２高分子樹脂層５３１の透光領域５１１に第２凹凸部が形成されていないことを除いてデコフィルム５０１と同一である。
【０１１０】
また、第１蒸着層５２３上に光透過性印刷層５２４を形成する場合、図９（Ａ）に示したデコフィルム５０３を形成できる。
【０１１１】
図２８〜図３５は本発明の他の実施例によるデコフィルムの製造工程図である。
【０１１２】
図２８を参照すると、ベースフィルム５１０の他面に第２デコ部５３０ｅを形成した後、ベースフィルム５１０の一面に光透過性印刷層５２５を形成する。
【０１１３】
図２９を参照すると、光透過性印刷層５２５を含むベースフィルム５１０の一面に第１高分子樹脂層５２１を形成する。第１高分子樹脂層５２１は熱硬化性樹脂又は光硬化性樹脂からなる。
【０１１４】
図３０を参照すると、インプリンタ７３０で第１高分子樹脂層５２１を加圧する。インプリンタ７３０は凹凸パターン７３１を有する。よって、第１高分子樹脂層５２１に凹凸パターン７３１に対応するパターンを有する第１凹凸部５２２が形成される。
【０１１５】
図３１には、インプリンタ７３０の加圧によって形成された第１凹凸部５２２が示されている。ついで、第１高分子樹脂層５２１（第２凹凸部５２２を含む）が硬化する。この時、熱硬化又は光硬化の何れかがなされる。
【０１１６】
図３２を参照すると、第１凹凸部５２２を含む第１高分子樹脂層５２１の全面に蒸着層５２３、５２３ｂを形成する。
【０１１７】
図３３を参照すると、第１凹凸部５２２と重畳する蒸着層上にマスク５２９を形成する。
【０１１８】
図３４を参照すると、マスク５２９を用いて第１凹凸部５２２の上方以外の蒸着層５２３ｂを除去して第１蒸着層５２３を形成する。
【０１１９】
図３５を参照すると、マスク５２９を除去することにより、本発明のさらに他の一実施例によるデコフィルム５０５を製造する。
【０１２０】
図３６は本発明の一実施例による表示パネル１１０の画素配置を示す平面図、図３７は図３６の線ＩＩＩ−ＩＩＩ’に沿って切断した断面図である。
【０１２１】
具体的に、図３６及び図３７に示した表示パネル１１０は有機発光表示パネルである。有機発光表示パネルは、第１基板２１１、駆動回路部２３０及び有機発光素子３１０を含む。
【０１２２】
第１基板２１１は、ガラス、石英、セラミック、及びプラスチックを含む群から選択された絶縁性材料からなる。第１基板２１１として高分子フィルムも使用可能である。
【０１２３】
第１基板２１１上にバッファ層２２０が配置される。バッファ層２２０は多様な無機膜及び有機膜から選択された一つ以上の膜を含む。バッファ層２２０は省略される場合がある。
【０１２４】
駆動回路部２３０はバッファ層２２０上に配置される。駆動回路部２３０は複数の薄膜トランジスタ１０、２０を含み、有機発光素子３１０を駆動する。即ち、有機発光素子３１０は駆動回路部２３０から受けた駆動信号に応じて光を放出して画像を表示する。
【０１２５】
図３６及び図３７には、一つの画素に二つの薄膜トランジスタＴＦＴ（１０、２０）と一つの蓄電素子（ｃａｐａｃｉｔｏｒ）８０を備えた２Ｔｒ−１Ｃａｐ構造の能動駆動（ａｃｔｉｖｅ  ｍａｔｒｉｘ、ＡＭ）型有機発光表示パネルが示されている。しかし、本発明の実施例はこのような構造に限定されない。例えば、有機発光表示パネルは、一つの画素に三つ以上の薄膜トランジスタと二つ以上の蓄電素子を含み、及び／又は、別途の配線をさらに含む場合がある。ここで、画素は画像を表示する最小単位を言い、有機発光表示パネルは複数の画素を介して画像を表示する。
【０１２６】
一つの画素は、スイッチング薄膜トランジスタ１０、駆動薄膜トランジスタ２０、蓄電素子８０、及び有機発光素子（ｏｒｇａｎｉｃ  ｌｉｇｈｔ  ｅｍｉｔｔｉｎｇ  ｄｉｏｄｅ、ＯＬＥＤ）３１０を含む。また、一方向に伸びるゲートライン２５１、ゲートライン２５１と絶縁状態で交差するデータライン２７１及び共通電源ライン２７２も駆動回路部２３０に配置される。一つの画素はゲートライン２５１、データライン２７１及び共通電源ライン２７２を境界として定義可能であるが、必ずしもこれに限定されない。画素定義膜２９０又はブラックマトリックスによって画素が定義される場合もある。
【０１２７】
有機発光素子３１０は、第１電極３１１、第１電極３１１上に配置された有機発光層３１２、及び有機発光層３１２上に配置された第２電極３１３を含む。有機発光層３１２は低分子有機物又は高分子有機物からなる。第１電極３１１及び第２電極３１３から各々、正孔と電子が有機発光層３１２の内部に注入され、このように注入された正孔と電子が結合して形成されたエキシトン（ｅｘｉｔｏｎ）が励起状態から基底状態に落ちるときに発光する。
【０１２８】
蓄電素子８０は層間絶縁膜２６０を挟んで配置された一対の蓄電板２５８、２７８を含む。ここで、層間絶縁膜２６０は誘電体からなる。蓄電素子８０に蓄電された電荷と両蓄電板２５８、２７８間の電圧によって蓄電容量が決定される。
【０１２９】
スイッチング薄膜トランジスタ１０は、スイッチング半導体層２３１、スイッチングゲート電極２５２、スイッチングソース電極２７３、及びスイッチングドレイン電極２７４を含む。駆動薄膜トランジスタ２０は、駆動半導体層２３２、駆動ゲート電極２５５、駆動ソース電極２７６、及び駆動ドレイン電極２７７を含む。半導体層２３１、２３２とゲート電極２５２、２５５はゲート絶縁膜２４０によって絶縁される。
【０１３０】
スイッチング薄膜トランジスタ１０は発光させようとする画素を選択するスイッチング素子として使われる。スイッチングゲート電極２５２はゲートライン２５１に連結される。スイッチングソース電極２７３はデータライン２７１に連結される。スイッチングドレイン電極２７４はスイッチングソース電極２７３から離隔して配置され、何れか一つの蓄電板、例えば蓄電板２５８と連結される。
【０１３１】
駆動薄膜トランジスタ２０は選択された画素内の有機発光素子３１０の有機発光層３１２を発光させるための駆動電力を画素電極である第１電極３１１に印加する。駆動ゲート電極２５５はスイッチングドレイン電極２７４と連結された蓄電板２５８と連結される。駆動ソース電極２７６及び他の蓄電板２７８は各々、共通電源ライン２７２と連結される。駆動ドレイン電極２７７は平坦化膜２６５に備えられたコンタクトホール（ｃｏｎｔａｃｔ  ｈｏｌｅ）を介して有機発光素子３１０の第１電極３１１と連結される。
【０１３２】
このような構造によって、スイッチング薄膜トランジスタ１０は、ゲートライン２５１に印加されるゲート電圧によって作動して、データライン２７１に印加されるデータ電圧を駆動薄膜トランジスタ２０に伝達する役目をする。共通電源ライン２７２から駆動薄膜トランジスタ２０に印加される共通電圧とスイッチング薄膜トランジスタ１０から伝達されたデータ電圧の差に相当する電圧が蓄電素子８０に保存され、蓄電素子８０に保存された電圧に対応する電流が駆動薄膜トランジスタ２０を介して有機発光素子３１０に流れることで有機発光素子３１０が発光する。
【０１３３】
第１電極３１１は光透過性を有する透光性電極であるか、又は、光反射性を有する反射電極である。第２電極３１３は半透過膜から形成されるか、又は、反射膜から形成される。
【０１３４】
図３７を参照すると、第１電極３１１は反射電極であり、第２電極３１３は半透過電極である。有機発光層３１２から発生した光は第２電極３１３を通じて放出される。しかし、本発明の一実施例がこれに限定されない。例えば、第１電極３１１は光透過性電極、第２電極３１３は反射電極であり、有機発光層３１２から発生した光は第１電極３１１を通じて放出される。
【０１３５】
第１電極３１１と有機発光層３１２の間に正孔注入層（ｈｏｌｅ  ｉｎｊｅｃｔｉｏｎ  ｌａｙｅｒ、ＨＩＬ）及び正孔輸送層（ｈｏｌｅ  ｔｒａｎｓｐｏｒｔｉｎｇ  ｌａｙｅｒ、ＨＴＬ）の少なくとも一つがさらに配置され得る。また、有機発光層３１２と第２電極３１３の間に電子輸送層（ｅｌｅｃｔｒｏｎ  ｔｒａｎｓｐｏｒｔｉｎｇ  ｌａｙｅｒ、ＥＴＬ）及び電子注入層（ｅｌｅｃｔｒｏｎ  ｉｎｊｅｃｔｉｏｎ  ｌａｙｅｒ、ＥＩＬ）の少なくとも一つがさらに配置され得る。有機発光層３１２、正孔注入層（ＨＩＬ）、正孔輸送層（ＨＴＬ）、電子輸送層（ＥＴＬ）及び電子注入層（ＥＩＬ）は有機物質からなるので、これらを有機層とも言う。
【０１３６】
画素定義膜２９０は開口部を有する。画素定義膜２９０の開口部は第１電極３１１の一部を露出させる。画素定義膜２９０の開口部において第１電極３１１上に有機発光層３１２及び第２電極３１３が順次積層される。ここで、前記第２電極３１３は有機発光層３１２の上だけでなく画素定義膜２９０の上にも形成される。有機発光素子３１０は画素定義膜２９０の開口部内に位置する有機発光層３１２から光を発生させる。このように、画素定義膜２９０は発光領域を定義できる。
【０１３７】
外部環境から有機発光素子３１０を保護するために、第２電極３１３上にキャッピング層（図示せず）が配置され得る。
【０１３８】
図３７を参照すると、第２電極３１３上に薄膜封止層３５０が配置される。
【０１３９】
薄膜封止層３５０は一つ以上の無機膜３５１、３５３及び一つ以上の有機膜３５２を含み、水分又は酸素のような外気が有機発光素子３１０に浸透することを防止する。
【０１４０】
薄膜封止層３５０は無機膜３５１、３５３と有機膜３５２が交互に積層された構造を有する。図３７に示した薄膜封止層３５０は２個の無機膜３５１、３５３と１個の有機膜３５２を含んでいるが、薄膜封止層３５０の構造はこれに限定されない。
【０１４１】
無機膜３５１、３５３は、Ａｌ２Ｏ３、ＴｉＯ２、ＺｒＯ、ＳｉＯ２、ＡｌＯＮ、ＡｌＮ、ＳｉＯＮ、Ｓｉ３Ｎ４、ＺｎＯ、及びＴａ２Ｏ５の何れか１種以上の無機物を含み得る。無機膜３５１、３５３は化学蒸着（ｃｈｅｍｉｃａｌ  ｖａｐｏｒ  ｄｅｐｏｓｉｔｉｏｎ、ＣＶＤ）法又は原子層蒸着（ａｔｏｍｉｃ  ｌａｙｅｒ  ｄｅｐｏｓｔｉｏｎ、ＡＬＤ）法によって形成される。無機膜３５１、３５３は当該技術分野の当業者に知られた多様な方法によって形成される。
【０１４２】
有機膜３５２は高分子（ｐｏｌｙｍｅｒ）系の素材からなる。ここで、高分子系の素材は、アクリル系樹脂、エポキシ系樹脂、ポリイミド、及びポリエチレンなどを含む。また、有機膜３５２は熱蒸着工程を通じて形成される。有機膜３５２を形成するための熱蒸着工程は有機発光素子３１０を損傷させない温度範囲内で行われる。有機膜３５２は当該技術分野の当業者に知られた多様な方法によって形成される。
【０１４３】
薄膜の密度が高く形成された無機膜３５１、３５３が主に水分又は酸素の浸透を抑制する。大部分の水分及び酸素の有機発光素子３１０への浸透は無機膜３５１、３５３によって遮断される。
【０１４４】
無機膜３５１、３５３を通過した水分及び酸素は有機膜３５２によって再び遮断される。有機膜３５２は透湿抑制の外に、無機膜３５１、３５３の間で各層間の応力を減らす緩衝層の役目もする。また、有機膜３５２は平坦化特性を有するので、薄膜封止層３５０の最上面が平坦になる。
【０１４５】
薄膜封止層３５０は小さい厚さを有する。従って、有機発光表示パネルも小さい厚さを有する。このような薄膜封止層３５０が適用されることにより、有機発光表示パネルはフレキシブルな特性を有する。
【０１４６】
図３８は本発明の他の一実施例による表示パネルの断面図である。
【０１４７】
図３８を参照すると、有機発光素子３１０を保護するために、第２電極３１３上に第２基板２１２が配置される。第２基板２１２は第１基板２１１と一緒に有機発光素子３１０を密封する役目をする。第２基板２１２は、第１基板２１１と同様に、ガラス、石英、セラミック、及びプラスチックを含む群から選択された絶縁性材料からなる。また、有機発光素子３１０と第２基板２１２の間に充填材２１３が配置され得る。
【０１４８】
図３９は本発明のさらに他の一実施例による表示パネルの画素配置を示す平面図、図４０は図３９の線ＩＶ−ＩＶ’に沿って切断した断面図である。具体的に、図３９及び図４０は液晶表示パネルを示す。
【０１４９】
図３９及び図４０に示した液晶表示パネルは、表示基板４１０、対向基板４２０、及び表示基板４１０と対向基板４２０の間に配置された液晶層ＬＣを含む。
【０１５０】
表示基板４１０は、第１基板４１１、薄膜トランジスタＴＦＴ、画素電極ＰＥ、ゲート絶縁膜４３１及び保護層４３２を含む。薄膜トランジスタＴＦＴは、半導体層ＳＭ、抵抗性接触層ＯＣ、ゲート電極ＧＥ、ソース電極ＳＥ及びドレイン電極ＤＥを含む。
【０１５１】
第１基板４１１はガラス又はプラスチックを含む透明部材からなる。
【０１５２】
第１基板４１１上には複数のゲートラインＧＬ及びゲート電極ＧＥが配置される。ゲート電極ＧＥはゲートラインＧＬと連結される。ゲートラインＧＬ及びゲート電極ＧＥはアルミニウム（Ａｌ）又はアルミニウム合金を含むアルミニウム系の金属、銀（Ａｇ）又は銀合金を含む銀系の金属、銅（Ｃｕ）又は銅合金を含む銅系の金属、モリブデン（Ｍｏ）又はモリブデン合金を含むモリブデン系の金属、クロム（Ｃｒ）、タンタル（Ｔａ）及びチタン（Ｔｉ）の内の何れか１種からなる。ゲートラインＧＬ及びゲート電極ＧＥの少なくとも一つは物理的性質の相異なる少なくとも二つの導電膜を含む多重膜構造を有し得る。
【０１５３】
ゲート絶縁膜４３１はゲートラインＧＬ及びゲート電極ＧＥを含めた第１基板４１１の全面の上に配置される。ゲート絶縁膜４３１は窒化珪素（ＳｉＮｘ）又は酸化珪素（ＳｉＯｘ）などからなることができる。若しくは、ゲート絶縁膜４３１は物理的性質の相異なる少なくとも二つの絶縁層を含む多重膜構造を有し得る。
【０１５４】
半導体層ＳＭはゲート絶縁膜４３１の上に配置される。この時、半導体層ＳＭはゲート絶縁膜４３１の下方に位置するゲート電極ＧＥと重畳する。半導体層ＳＭは例えば非晶質珪素又は多結晶珪素からなる。半導体層ＳＭは酸化物半導体からなる場合がある。
【０１５５】
抵抗性接触層ＯＣは半導体層ＳＭ上に配置される。例えば、抵抗性接触層ＯＣはチャネル部分以外の半導体層ＳＭ上に配置される。
【０１５６】
また、ゲート絶縁膜４３１上に複数のデータラインＤＬが配置される。データラインＤＬはゲートラインＧＬと交差する。ソース電極ＳＥはデータラインＤＬと連結され、抵抗性接触層ＯＣ上に配置される。ドレイン電極ＤＥはソース電極ＳＥから離隔して抵抗性接触層ＯＣ上に配置され、画素電極ＰＥに連結される。
【０１５７】
データラインＤＬ、ソース電極ＳＥ、及びドレイン電極ＤＥの少なくとも一つはモリブデン、クロム、タンタル、及びチタンを含む高融点金属（ｒｅｆｒａｃｔｏｒｙ  ｍｅｔａｌ）又はこれらの合金からなる。若しくは、データラインＤＬ、ソース電極ＳＥ、及びドレイン電極ＤＥの少なくとも一つは高融点金属膜と低抵抗導電膜を含む多重膜構造を有し得る。
【０１５８】
ゲート絶縁膜４３１、半導体層ＳＭ、データラインＤＬ、ソース電極ＳＥ、及びドレイン電極ＤＥを含む第１基板４１１の全面の上に層間絶縁膜４６９が配置される。層間絶縁膜４６９は絶縁性材料からなり、特に、半導体層ＳＭの露出部位であるチャネル領域を保護する。
【０１５９】
層間絶縁膜４６９上に保護層４３２が配置される。保護層４３２は薄膜トランジスタＴＦＴの上方を平坦化する役目をする。従って、保護層４３２は平坦化膜とも言う。
【０１６０】
保護層４３２は窒化珪素（ＳｉＮｘ）又は酸化珪素（ＳｉＯｘ）のような無機絶縁物からなる。これとは相異なり、保護層４３２は有機膜からなる場合がある。保護層４３２は下部無機膜と上部有機膜からなる二重膜構造を有する場合がある。
【０１６１】
画素電極ＰＥは保護層４３２上に配置される。この時、画素電極ＰＥは保護層４３２及び層間絶縁膜４６９を通じて形成されたコンタクトホールＣＨを介してドレイン電極ＤＥと連結される。画素電極ＰＥはＩＴＯ（Ｉｎｄｉｕｍ  ｔｉｎ  ｏｘｉｄｅ）又はＩＺＯ（Ｉｎｄｉｕｍ  ｚｉｎｃ  ｏｘｉｄｅ）を含む透明な導電性物質からなる。
【０１６２】
対向基板４２０は、第２基板４２１、カラーフィルタ層４７０及び共通電極ＣＥを含む。
【０１６３】
第２基板４２１はガラス又はプラスチックを含む透明部材からなる。
【０１６４】
第２基板４２１上に遮光部ＢＭが配置される。遮光部ＢＭは複数の開口部を有する。開口部は第１、第２及び第３画素ＰＸ１、ＰＸ２、ＰＸ３の各画素電極ＰＥに対応して配置される。遮光部ＢＭは、開口部を除いた部分で光を遮断する。例えば、遮光部ＢＭは、薄膜トランジスタＴＦＴ、ゲートラインＧＬ及びデータラインＤＬ上に位置して、これらを通過した光が外部に放出されることを遮断する。遮光部ＢＭは必須ではなく、省略可能である。
【０１６５】
カラーフィルタ層４７０は第２基板４２１上に配置され、バックライト部（図示せず）から入射した光の波長を選択的に遮断する。
【０１６６】
カラーフィルタ層４７０は、第１カラーフィルタＣＦ１、第２カラーフィルタＣＦ２及び第３カラーフィルタＣＦ３を含み得る。
【０１６７】
第１、第２及び第３カラーフィルタＣＦ１、ＣＦ２、ＣＦ３は、遮光部ＢＭによって互いに区分される。図３９及び図４０を参照すると、第１、第２及び第３カラーフィルタＣＦ１、ＣＦ２、ＣＦ３は各々、画素ＰＸ１、ＰＸ２、ＰＸ３と重畳して配置される。第１、第２及び第３カラーフィルタＣＦ１、ＣＦ２、ＣＦ３は各々、赤色、緑色及び青色の何れか一つの色を表現する。カラーフィルタ層４７０は白色カラーフィルタ（図示せず）を含む場合もありき、赤色、緑色、青色以外の色を有するカラーフィルタを含む場合もある。
【０１６８】
カラーフィルタ層４７０と共通電極ＣＥの間にパッシベーション膜４５０が配置される。パッシベーション膜４５０は省略され得る。
【０１６９】
共通電極ＣＥはパッシベーション膜４５０上に配置される。例えば、共通電極ＣＥは第２基板４２１の全面上に配置され得る。共通電極ＣＥはＩＴＯ又はＩＺＯを含む透明な導電物質からなる。
【０１７０】
共通電極ＣＥは画素電極ＰＥと一緒に液晶層ＬＣに電界を印加する。
【０１７１】
図示されていないが、画素電極ＰＥ上に下部配向膜が配置され得る。下部配向膜は例えば垂直配向膜であって、光反応物質を含み得る。同様に、図示されていないが、共通電極ＣＥ上に上部配向膜が配置され得る。上部配向膜は下部配向膜と同一の物質からなり得る。
【０１７２】
第１基板４１１と第２基板４２１の間の対向面を各々、該当基板の上面と定義し、その上面の反対側に位置する面を各々、該当基板の下面と定義するとき、第１基板４１１の下面と第２基板４２１の下面に各々、偏光板が配置され得る。
【０１７３】
以上で説明した本発明は、上述した実施例及び添付図面に限定されず、本発明の技術的思想を逸脱しない範疇内で多様な置換、変形及び変更が可能であることは本発明が属する技術分野で通常の知識を有する者に明らかであろう。
【符号の説明】
【０１７４】
ＤＡ    表示部
ＮＤＡ    非表示部
ＧＬ    ゲートライン
ＤＬ    データライン
ＳＭ    半導体層
ＴＦＴ    薄膜トランジスタ
１０１    表示装置
１１０    表示パネル
１０、２０    薄膜トランジスタ（ＴＦＴ）
１０    スイッチング薄膜トランジスタ
２０    駆動薄膜トランジスタ
８０    蓄電素子
２１１    第１基板
２１２    第２基板
２１３    充填材
２２０    バッファ層
２３０    駆動回路部
２３１    スイッチング半導体層
２３２    駆動半導体層
２４０    ゲート絶縁膜
２５１    ゲートライン
２５２    スイッチングゲート電極
２５５    駆動ゲート電極
２５８、２７８    一対の蓄電板
２６０    層間絶縁膜
２６５    平坦化膜
２７３    スイッチングソース電極
２７４    スイッチングドレイン電極
２７６    駆動ソース電極
２７７    駆動ドレイン電極
２７１    データライン
２７２    共通電源ライン
２９０    画素定義膜
３１０    有機発光素子（ＯＬＥＤ）
３１１    第１電極
３１２    有機発光層
３１３    第２電極
３５０    薄膜封止層
３５１、３５３    無機膜
３５２    有機膜
ＢＭ    遮光部
ＣＥ    共通電極
ＣＦ１，ＣＦ２、ＣＦ３    第１、第２、第３カラーフィルタ
ＣＨ    コンタクトホール
ＤＥ    ドレイン電極
ＤＬ    データライン
ＧＬ    ゲートライン
ＬＣ    液晶層
ＯＣ    抵抗性接触層
ＰＥ    画素電極
ＰＸ１、ＰＸ２、ＰＸ３    画素
ＳＥ    ソース電極
ＳＭ    半導体層
ＴＦＴ    薄膜トランジスタ
４１０    表示基板
４１１    第１基板
４２０    対向基板
４２１    第２基板
４３１    ゲート絶縁膜
４３２    保護層（保護膜）
４５０    パッシベーション膜
４６９    層間絶縁膜
４７０    カラーフィルタ層
１２０    側面支持部材
１３０、１５０    プレート基材
１４０    支持部
１５０ａ、１５０ｂ    プレート基材の第１面、第２面
１６０    粘着層
１７０    タッチパネル
１８１、１８２    粘着層  ２０１    カバーパネル、ウィンドウパネル
３０１    カバーパネル、背面パネル
５０１、５０２、５０３、５０４、５０５、５０６、５０７、５０８    デコフィルム
６０１、６０２、６０３、６０４、６０５、６０６、６０７、６０８    デコフィルム
５１０、６１０    ベースフィルム
５１１    透光領域
５２０    遮光領域
５２０ａ、５２０ｂ、５２０ｃ、５２０ｄ、５２０ｅ、５２０ｆ、５２０ｇ、５２０ｈ    第１デコ部
６２０ａ、６２０ｂ、６２０ｃ、６２０ｄ、６２０ｅ、６２０ｆ、６２０ｇ、６２０ｈ    第１デコ部
５３０ａ、５３０ｂ、５３０ｃ、５３０ｄ、５３０ｅ、５３０ｆ、５３０ｇ、５３０ｈ    第２デコ部
６３０ａ、６３０ｂ、６３０ｃ、６３０ｄ、６３０ｅ、６３０ｆ、６３０ｇ、６３０ｈ    第２デコ部
５２１、６２１    第１高分子樹脂層
５３１、６３１    第２高分子樹脂層
５２２、６２２    第１凹凸部
５３２、６３２    第２凹凸部
５２３、５２３ｂ、６２３    第１蒸着層
５３３、５３３ｂ、６３３、    第２蒸着層
５２４、６２４    光透過性印刷層
５２５、６２５    光透過性印刷層
５２９    マスク
５３４、６３４    遮光印刷層
５５１    ベゼル部
７１０、７２０、７３０    インプリンタ
７１１、７２１、７３１    凹凸パターン
【図１】
2018089972.tif 000003
【図２】
2018089972.tif 000004
【図３】
2018089972.tif 000005
【図４】
2018089972.tif 000006
【図５】
2018089972.tif 000007
【図６】
2018089972.tif 000008
【図７】
2018089972.tif 000009
【図８】
2018089972.tif 000010
【図９】
2018089972.tif 000011
【図１０】
2018089972.tif 000012
【図１１】
2018089972.tif 000013
【図１２】
2018089972.tif 000014
【図１３】
2018089972.tif 000015
【図１４】
2018089972.tif 000016
【図１５】
2018089972.tif 000017
【図１６】
2018089972.tif 000018
【図１７】
2018089972.tif 000019
【図１８】
2018089972.tif 000020
【図１９】
2018089972.tif 000021
【図２０】
2018089972.tif 000022
【図２１】
2018089972.tif 000023
【図２２】
2018089972.tif 000024
【図２３】
2018089972.tif 000025
【図２４】
2018089972.tif 000026
【図２５】
2018089972.tif 000027
【図２６】
2018089972.tif 000028
【図２７】
2018089972.tif 000029
【図２８】
2018089972.tif 000030
【図２９】
2018089972.tif 000031
【図３０】
2018089972.tif 000032
【図３１】
2018089972.tif 000033
【図３２】
2018089972.tif 000034
【図３３】
2018089972.tif 000035
【図３４】
2018089972.tif 000036
【図３５】
2018089972.tif 000037
【図３６】
2018089972.tif 000038
【図３７】
2018089972.tif 000039
【図３８】
2018089972.tif 000040
【図３９】
2018089972.tif 000041
【図４０】
2018089972.tif 000042